(57)【要約】【課題】エンドユーザが求める知識に関する記述を含むＷｅｂｌｏｇのコミュニティ抽出の信頼性を高める。【解決手段】クローリング手段１１はサーバ３０に登録されたエントリー、コメント、トラックバック等を含むＷｅｂｌｏｇコンテンツを収集する。コミュニティ抽出手段１３は頻繁な相互コミュニケーションを行っているＷｅｂｌｏｇコミュニティを抽出する。コミュニティ蓄積手段１５はＷｅｂｌｏｇコミュニティで頻出するキーワードによりそれをインデクシングすると共に、コミュニケーション鮮度を算出する。コミュニティ検索手段２１はエンドユーザ端末４０から要求される検索キーワードに対応したＷｅｂｌｏｇコミュニティを検索する。コミュニティ検索結果表示手段２２は検索結果をキーワード適合度及びコミュニケーション鮮度に基づきソートしてエンドユーザ端末にて表示可能とする。【選択図】  図１
2006331292.tif 000002
【特許請求の範囲】
【請求項１】
Ｗｅｂｌｏｇコミュニティ収集装置とＷｅｂｌｏｇコミュニティ検索装置とを備え、ネットワーク上で指定キーワードに関するコミュニケーションが直近にて行われているＷｅｂｌｏｇコミュニティの検索を支援する方法であって、
前記Ｗｅｂｌｏｇコミュニティ収集装置は、
一般的なＷｅｂｌｏｇサーバに登録されたエントリー、コメント元ＷｅｂｌｏｇのＵＲＬが明記されたコメント、トラックバック及びこれらの登録日時情報を含むＷｅｂｌｏｇコンテンツを収集するクローリングステップと、
前記Ｗｅｂｌｏｇコンテンツから一定期間内のコメント数及びトラックバック数の合計値に基づき頻繁な相互コミュニケーションを行っている複数Ｗｅｂｌｏｇから構成されるＷｅｂｌｏｇコミュニティを抽出するＷｅｂｌｏｇコミュニティ抽出ステップと、
前記Ｗｅｂｌｏｇコミュニティにおいて頻出するキーワードにより前記Ｗｅｂｌｏｇコミュニティをインデクシングすると共に、該Ｗｅｂｌｏｇコミュニティに含まれるエントリー登録日時及び該エントリーに付随するコメント及びトラックバックの登録日時に基づき時間経過と共に減衰するコミュニケーション鮮度を算出して蓄積するＷｅｂｌｏｇコミュニティ蓄積ステップとを有し、
前記Ｗｅｂｌｏｇコミュニティ検索装置は、
エンドユーザ端末から要求される検索キーワードに対応付けられてインデクシングされている前記Ｗｅｂｌｏｇコミュニティを前記Ｗｅｂｌｏｇコミュニティ蓄積結果等から検索するＷｅｂｌｏｇコミュニティ検索ステップと、
該Ｗｅｂｌｏｇコミュニティ検索結果をキーワード適合度及びコミュニケーション鮮度に基づきソートしてエンドユーザ端末にて表示可能とするＷｅｂｌｏｇコミュニティ検索結果表示ステップとを有する、
ことを特徴とするＷｅｂｌｏｇコミュニティ検索支援方法。
【請求項２】
Ｗｅｂｌｏｇコミュニティ収集装置とＷｅｂｌｏｇコミュニティ検索装置とを備え、ネットワーク上で指定キーワードに関するコミュニケーションが直近にて行われているＷｅｂｌｏｇコミュニティの検索を支援する装置であって、
前記Ｗｅｂｌｏｇコミュニティ収集装置は、
一般的なＷｅｂｌｏｇサーバに登録されたエントリー、コメント元ＷｅｂｌｏｇのＵＲＬが明記されたコメント、トラックバック及びこれらの登録日時情報を含むＷｅｂｌｏｇコンテンツを収集するクローリング手段と、
前記Ｗｅｂｌｏｇコンテンツから一定期間内のコメント数及びトラックバック数の合計値に基づき頻繁な相互コミュニケーションを行っている複数Ｗｅｂｌｏｇから構成されるＷｅｂｌｏｇコミュニティを抽出するＷｅｂｌｏｇコミュニティ抽出手段と、
前記Ｗｅｂｌｏｇコミュニティにおいて頻出するキーワードにより前記Ｗｅｂｌｏｇコミュニティをインデクシングすると共に、該Ｗｅｂｌｏｇコミュニティに含まれるエントリー登録日時及び該エントリーに付随するコメント及びトラックバックの登録日時に基づき時間経過と共に減衰するコミュニケーション鮮度を算出して蓄積するＷｅｂｌｏｇコミュニティ蓄積手段とを有し、
前記Ｗｅｂｌｏｇコミュニティ検索装置は、
エンドユーザ端末から要求される検索キーワードに対応付けられてインデクシングされている前記Ｗｅｂｌｏｇコミュニティを前記Ｗｅｂｌｏｇコミュニティ蓄積結果等から検索するＷｅｂｌｏｇコミュニティ検索手段と、
該Ｗｅｂｌｏｇコミュニティ検索結果をキーワード適合度及びコミュニケーション鮮度に基づきソートしてエンドユーザ端末にて表示可能とするＷｅｂｌｏｇコミュニティ検索結果表示手段とを有する、
ことを特徴とするＷｅｂｌｏｇコミュニティ検索支援装置。
【請求項３】
請求項１のＷｅｂｌｏｇコミュニティ検索支援方法を、コンピュータで実行可能に構成したプログラムを記録したことを特徴とする記録媒体。
【発明の詳細な説明】
【技術分野】
【０００１】
本発明は、Ｗｅｂｌｏｇコミュニティ検索技術に関し、詳しくはネットワーク上で指定キーワードに関するコミュニケーションが直近にて行われているＷｅｂｌｏｇコミュニティの抽出によりオンラインでのＷｅｂｌｏｇコミュニティ検索を支援する技術に関する。
【背景技術】
【０００２】
従来のオンライン知識検索技術においては、キーワードとページランクに基づく一般的な検索結果から更に求める知識を絞り込む方法として、以下の方法がある。
【０００３】
（１）自然言語処理による話題抽出に基づく検索結果の絞り込み（例えば特許文献１参照）。
【０００４】
（２）協調フィルタリングによる検索結果の絞り込み（例えば特許文献２参照）。
【０００５】
前者の（１）方法は、一般に形態素解析、構文解析等を含む自然言語処理により、求める知識に言及しているコンテンツを抽出する。また、（２）の方法は、有限数の協調フィルタリング参加ユーザの集合において、ユーザプロファイルの一部として登録された嗜好情報やブックマーク等の解析に基づく嗜好情報抽出、及び各参加ユーザの検索履歴に基づき、検索者と似た嗜好を持つ有限数の参加ユーザの検索履歴を利用して検索結果を絞り込む。
【０００６】
また、通例、Ｗｅｂｌｏｇサーバは、Ｗｅｂｌｏｇ作者が日々登録するエントリー、およびＷｅｂｌｏｇ読者が付加するコメント、及び異なるＷｅｂｌｏｇにおいて該エントリーに関連するエントリーが登録されたことを示すトラックバックより構成されるＷｅｂｌｏｇコンテンツを蓄積すると共に、コメント付与者が自身のＷｅｂｌｏｇのＵＲＬをコメント内に明記した場合には該ＷｅｂｌｏｇＵＲＬも蓄積しており、本発明ではこれらを利用する。
【特許文献１】特開２００１−３２５２７２
【特許文献２】特開２０００−３３１０２０
【発明の開示】
【発明が解決しようとする課題】
【０００７】
前記従来技術においては、
（１）の場合、求める知識に関する記述を含むコンテンツは抽出可能であるが、そのコンテンツにおける該知識に関する記述の信頼性は保証できない、という問題がある。
【０００８】
（２）の場合、限られた数のエンドユーザによる協調フィルタリングでは絞り込み精度を上げにくく、協調フィルタリングに参加するエンドユーザ数を増やすことも容易ではない、という問題がある。
【０００９】
本発明は、上記に鑑みてなされたもので、その目的とするところは、Ｗｅｂｌｏｇサーバで通例蓄積するエントリー、コメント、トラックバックから構成された特定の話題に関するコミュニケーションの履歴を用いて、目的とする知識に関して相互に評価し合い、一定の信頼をおいている時間的に直近のコミュニティを抽出してエンドユーザに提示し、該コミュニティへのアクセスによって信頼性の高い知識を取得できるようエンドユーザを支援できるコミュニティ検索支援方法、検索支援装置および検索支援プログラムを記録した記録媒体を提供することにある。
【課題を解決するための手段】
【００１０】
上記目的を達成するため、本発明によるＷｅｂｌｏｇコミュニティ収集には、時系列情報を含むＷｅｂｌｏｇコンテンツを収集し、互いに頻繁なコミュニケーションを行うことで相互の信頼を表明しているＷｅｂｌｏｇのコミュニティを抽出し、該Ｗｅｂｌｏｇコミュニティの内容をキーワードによりインデクシングすると共に、検索実行時にエンドユーザが参加可能かどうかを示す目安となるコミュニケーション鮮度を通例時間経過と共に減っていくコメント数及びトラックバック数に基づき算出して蓄積する。また、Ｗｅｂｌｏｇコミュニティ検索には、エンドユーザが指定したキーワードに関連づけてインデクシングされているＷｅｂｌｏｇコミュニティを検索し、キーワード適合度及びコミュニケーション鮮度によりソートしてエンドユーザ端末に提示する。
【００１１】
これにより、目的とする知識に関して相互に評価し合い一定の信頼をおいている時間的に直近のコミュニティを抽出してエンドユーザに提示し、該コミュニティへのアクセスによって信頼性の高い知識を取得できるようエンドユーザを支援することを可能とする。
【００１２】
また、現在普及しつつある一般的なＷｅｂｌｏｇコンテンツをそのまま利用可能であるため、既存Ｗｅｂｌｏｇコンテンツをそのままリソースとして利用可能とする。
【００１３】
これにより、求める知識に関する記述を含むコンテンツは抽出可能であるが、そのコンテンツにおける該知識に関する記述の信頼性は保証できない、という従来の問題を解決する。
【００１４】
また、既存Ｗｅｂｌｏｇコンテンツをそのまま知識リソースとして利用可能であるため、限られた数のエンドユーザによる協調フィルタリングでは絞り込み精度を上げにくく、協調フィルタリングに参加するエンドユーザ数を増やすことも容易ではない、という問題を解決する。
【００１５】
以上のことから、本発明は以下のコミュニティ検索支援方法、検索支援装置および検索支援プログラムを記録した記録媒体を特徴とする。
【００１６】
（１）Ｗｅｂｌｏｇコミュニティ収集装置とＷｅｂｌｏｇコミュニティ検索装置とを備え、ネットワーク上で指定キーワードに関するコミュニケーションが直近にて行われているＷｅｂｌｏｇコミュニティの検索を支援する方法であって、
前記Ｗｅｂｌｏｇコミュニティ収集装置は、
一般的なＷｅｂｌｏｇサーバに登録されたエントリー、コメント元ＷｅｂｌｏｇのＵＲＬが明記されたコメント、トラックバック及びこれらの登録日時情報を含むＷｅｂｌｏｇコンテンツを収集するクローリングステップと、
前記Ｗｅｂｌｏｇコンテンツから一定期間内のコメント数及びトラックバック数の合計値に基づき頻繁な相互コミュニケーションを行っている複数Ｗｅｂｌｏｇから構成されるＷｅｂｌｏｇコミュニティを抽出するＷｅｂｌｏｇコミュニティ抽出ステップと、
前記Ｗｅｂｌｏｇコミュニティにおいて頻出するキーワードにより前記Ｗｅｂｌｏｇコミュニティをインデクシングすると共に、該Ｗｅｂｌｏｇコミュニティに含まれるエントリー登録日時及び該エントリーに付随するコメント及びトラックバックの登録日時に基づき時間経過と共に減衰するコミュニケーション鮮度を算出して蓄積するＷｅｂｌｏｇコミュニティ蓄積ステップとを有し、
前記Ｗｅｂｌｏｇコミュニティ検索装置は、
エンドユーザ端末から要求される検索キーワードに対応付けられてインデクシングされている前記Ｗｅｂｌｏｇコミュニティを前記Ｗｅｂｌｏｇコミュニティ蓄積結果等から検索するＷｅｂｌｏｇコミュニティ検索ステップと、
該Ｗｅｂｌｏｇコミュニティ検索結果をキーワード適合度及びコミュニケーション鮮度に基づきソートしてエンドユーザ端末にて表示可能とするＷｅｂｌｏｇコミュニティ検索結果表示ステップとを有する、
ことを特徴とするＷｅｂｌｏｇコミュニティ検索支援方法。
【００１７】
（２）Ｗｅｂｌｏｇコミュニティ収集装置とＷｅｂｌｏｇコミュニティ検索装置とを備え、ネットワーク上で指定キーワードに関するコミュニケーションが直近にて行われているＷｅｂｌｏｇコミュニティの検索を支援する装置であって、
前記Ｗｅｂｌｏｇコミュニティ収集装置は、
一般的なＷｅｂｌｏｇサーバに登録されたエントリー、コメント元ＷｅｂｌｏｇのＵＲＬが明記されたコメント、トラックバック及びこれらの登録日時情報を含むＷｅｂｌｏｇコンテンツを収集するクローリング手段と、
前記Ｗｅｂｌｏｇコンテンツから一定期間内のコメント数及びトラックバック数の合計値に基づき頻繁な相互コミュニケーションを行っている複数Ｗｅｂｌｏｇから構成されるＷｅｂｌｏｇコミュニティを抽出するＷｅｂｌｏｇコミュニティ抽出手段と、
前記Ｗｅｂｌｏｇコミュニティにおいて頻出するキーワードにより前記Ｗｅｂｌｏｇコミュニティをインデクシングすると共に、該Ｗｅｂｌｏｇコミュニティに含まれるエントリー登録日時及び該エントリーに付随するコメント及びトラックバックの登録日時に基づき時間経過と共に減衰するコミュニケーション鮮度を算出して蓄積するＷｅｂｌｏｇコミュニティ蓄積手段とを有し、
前記Ｗｅｂｌｏｇコミュニティ検索装置は、
エンドユーザ端末から要求される検索キーワードに対応付けられてインデクシングされている前記Ｗｅｂｌｏｇコミュニティを前記Ｗｅｂｌｏｇコミュニティ蓄積結果等から検索するＷｅｂｌｏｇコミュニティ検索手段と、
該Ｗｅｂｌｏｇコミュニティ検索結果をキーワード適合度及びコミュニケーション鮮度に基づきソートしてエンドユーザ端末にて表示可能とするＷｅｂｌｏｇコミュニティ検索結果表示手段とを有する、
ことを特徴とするＷｅｂｌｏｇコミュニティ検索支援装置。
【００１８】
（３）上記（１）のＷｅｂｌｏｇコミュニティ検索支援方法を、コンピュータで実行可能に構成したプログラムを記録したことを特徴とする記録媒体。
【発明の効果】
【００１９】
請求項１等に記載の本発明によれば、
Ｗｅｂｌｏｇコミュニティ収集装置は、時系列情報を含むＷｅｂｌｏｇコンテンツを収集し、互いに頻繁なコミュニケーションを行うことで相互の信頼を表明しているＷｅｂｌｏｇのコミュニティを抽出し、該Ｗｅｂｌｏｇコミュニティの内容をキーワードによりインデクシングすると共に、検索実行時にエンドユーザが参加可能かどうかを示す目安となるコミュニケーション鮮度を通例時間経過と共に減っていくコメント数及びトラックバック数に基づき算出して蓄積し、
Ｗｅｂｌｏｇコミュニティ検索装置は、エンドユーザが指定したキーワードに関連づけてインデクシングされているＷｅｂｌｏｇコミュニティを検索し、キーワード適合度及びコミュニケーション鮮度によりソートしてエンドユーザ端末に提示するため、
目的とする知識に関して相互に評価し合い一定の信頼をおいている時間的に直近のコミュニティを抽出してエンドユーザに提示し、該コミュニティへのアクセスによって信頼性の高い知識を取得できるようエンドユーザを支援することができる。
【００２０】
また、現在普及しつつある一般的なＷｅｂｌｏｇコンテンツをそのまま利用可能であるため、既存Ｗｅｂｌｏｇコンテンツをそのままリソースとして利用可能である。これにより、求める知識に関する記述を含むコンテンツは抽出可能であるが、そのコンテンツにおける該知識に関する記述の信頼性は保証できない、という従来の問題を解決できる。
【００２１】
また、既存Ｗｅｂｌｏｇコンテンツをそのまま知識リソースとして利用可能であるため、限られた数のエンドユーザによる協調フィルタリングでは絞り込み精度を上げにくく、協調フィルタリングに参加するエンドユーザ数を増やすことも容易ではない、という問題を解決できる。
【発明を実施するための最良の形態】
【００２２】
図１は、請求項１等に対応する本発明の実施形態に係るＷｅｂｌｏｇコミュニティ検索支援装置の構成図である。
【００２３】
同図に示すＷｅｂｌｏｇコミュニティ検索支援装置は、Ｗｅｂｌｏｇコミュニティ収集装置１０とＷｅｂｌｏｇコミュニティ検索装置２０から構成されており、各装置間はネットワークによって接続され、更にインターネットを介して一般的なＷｅｂｌｏｇサーバ３０及び一般的なエンドユーザ端末４０と通信が可能にされる。
【００２４】
Ｗｅｂｌｏｇコミュニティ収集装置１０とＷｅｂｌｏｇコミュニティ検索装置２０は、一般的なウェブログサーバ３０およびエンドユーザ端末４０にネットワーク接続可能にされた情報処理用コンピュータで実現されるもので、その構成はＷｅｂｌｏｇコミュニティ収集装置１０では、クローリング手段１１と、データベース１２と、コミュニティ抽出手段１３と、データベース１４と、コミュニティ蓄積手段１５と、データベース６とを備え、Ｗｅｂｌｏｇコミュニティ検索装置２０はコミュニティ検索手段２１とコミュニティ検索検索結果表示手段２２とを備える。このうち、データベース２，１４，１６はコンピュータに搭載するハードディスクなどの記憶装置に構築し、各手段１１，１３，１５，２１，２２はコンピュータのソフトウェア構成で実現される。
【００２５】
Ｗｅｂｌｏｇコミュニティ収集装置１０において、クローリング手段１１は、一般的なＷｅｂｌｏｇサーバ３０に登録されたエントリー、コメント元ＷｅｂｌｏｇのＵＲＬが明記されたコメント、トラックバック及びこれらの登録日時情報を含むＷｅｂｌｏｇコンテンツを収集し、データベース１２に保存する。
【００２６】
また、Ｗｅｂｌｏｇコミュニティ抽出手段１３は、データベース１２に保存されたＷｅｂｌｏｇコンテンツが有する一定期間内のコメント数及びトラックバック数の合計値に基づき頻繁な相互コミュニケーションを行っている複数Ｗｅｂｌｏｇから構成されるＷｅｂｌｏｇコミュニティを抽出し、データベース１４に保存する。
【００２７】
また、Ｗｅｂｌｏｇコミュニティ蓄積手段１５は、データベース４に保存するＷｅｂｌｏｇコミュニティにおいて頻出するキーワードにより該Ｗｅｂｌｏｇコミュニティをインデクシングすると共に、該Ｗｅｂｌｏｇコミュニティに含まれるエントリー登録日時、該エントリーに付随するコメント及びトラックバックの登録日時に基づき時間経過と共に減衰するコミュニケーション鮮度を算出してデータベース１６に蓄積する。
【００２８】
図２は一般的なＷｅｂｌｏｇコンテンツの構成及びコミュニケーション例を示す。一般に、エントリーは、時系列にて分類され画像ＵＲＬ等を含むテキスト情報であり、いわゆる日記の書き込み内容に相当する。コメントは、通例、エントリーに対してＷｅｂｌｏｇ読者が書き込むテキスト情報であり、該Ｗｅｂｌｏｇ読者が自身のＷｅｂｌｏｇのトップページＵＲＬを明記することも可能であり、明記した場合には該コメント内に該トップページＵＲＬへのハイパーリンクが自動生成される。トラックバックは、トラックバック先エントリーに関連するトラックバック元エントリーであり、トラックバック先Ｗｅｂｌｏｇが受信した「ＴｒａｃｋｂａｃｋＰｉｎｇ」に基づきトラックバック元エントリーへのハイパーリンクが自動生成される。
【００２９】
ここで、Ｗｅｂｌｏｇコミュニティと呼ぶものは、コメント数及びトラックバック数の合計値に基づき頻繁な相互コミュニケーションを行っている複数Ｗｅｂｌｏｇの集合を抽出した結果である。このようなＷｅｂｌｏｇコミュニティの実装の単純な一例としては、例えばＲＳＳ１．０（下記の非特許文献１参照）の形式を用い、該Ｗｅｂｌｏｇコミュニティに属する全てのコンテンツに特徴的なキーワード集合を＜Channel＞タグの＜dc:subject＞タグに記述してインデクシングの対称とし、該Ｗｅｂｌｏｇコミュニティに属する全てのＷｅｂｌｏｇの参照ＵＲＬを＜item＞タグ配下に記述する。また、各Ｗｅｂｌｏｇに属するエントリ及びコメント及びトラックバックの時系列情報を含む構造は該＜item＞タグ配下に独自拡張ＸＭＬ形式をもって記述可能である。
【００３０】
［非特許文献１］貼ochRDF Site Summary(RSS)1.0",Gabe Beged-Dov & Dan Brickley et.al.,2001/05更新,［2004/10/29検索］インターネットURL<URL:http://web.resource.org/rss/1.0/spec>
図１のＷｅｂｌｏｇコミュニティ検索装置２０において、Ｗｅｂｌｏｇコミュニティ検索手段２１は、検索キーワードに対応付けられてインデクシングされている前記ＷｅｂｌｏｇコミュニティをＷｅｂｌｏｇコミュニティ蓄積手段１５等によって保存されるデータベース１２，１４、１６から検索する。Ｗｅｂｌｏｇコミュニティ検索結果表示手段２２は、Ｗｅｂｌｏｇコミュニティ検索結果をキーワード適合度及びコミュニケーション鮮度に基づきソートしてエンドユーザ端末４０にて表示可能とする。
【００３１】
図３は、Ｗｅｂｌｏｇコミュニティ検索支援装置による検索処理フロー示し、この処理の流れを以下のステップ番号（Ｓ１）〜（Ｓ５）で説明する。
【００３２】
（Ｓ１）クローリング手段１１は、インターネットに接続され公開されている一般的なＷｅｂｌｏｇサーバ３０から、エントリー及びコメント及びトラックバックの内容及び時系列情報を含むＷｅｂｌｏｇコンテンツを収集し、データベース１２に保存する。
【００３３】
（Ｓ２）コミュニティ抽出手段１３は、前記収集コンテンツにおいて、一定期間内のコメント数及びトラックバック数の合計値に基づき頻繁な相互コミュニケーションを行っている複数Ｗｅｂｌｏｇから構成されるＷｅｂｌｏｇコミュニティを例えばＲＳＳ形式で抽出し、データベース４に保存する。
【００３４】
（Ｓ３）コミュニティ蓄積手段１５は、前記収集コンテンツにおいて、各Ｗｅｂｌｏｇコミュニティ毎にＴＦ／ＩＤＦ計算（文章から重要単語の出現率ＴＦと、その単語のレア度を表す指標ＩＤＦの積を計算する検索アルゴリズム）による頻出キーワードを抽出し、該キーワードを該Ｗｅｂｌｏｇコミュニティに対応する前記ＲＳＳ内に追記、および該キーワードを該ＲＳＳと対応づけると共に、該Ｗｅｂｌｏｇコミュニティに含まれるエントリー登録日時及び該エントリーに付随するコメント及びトラックバックの登録日時に基づき時間経過と共に減衰するコミュニケーション鮮度を算出し、キーワード及びコミュニケーション鮮度により該ＲＳＳをインデクシングし、データベース１６に保存する。
【００３５】
（Ｓ４）エンドユーザ端末から検索キーワードを受け取ったＷｅｂｌｏｇコミュニティ検索手段２１は、該キーワードに対応づけられたＷｅｂｌｏｇコンテンツを前記インデクシングされたＲＳＳから検索する。
【００３６】
（Ｓ５）コミュニティ検索結果表示手段２２は、検索結果の複数のＲＳＳをキーワード適合度及びコミュニケーション鮮度でソートしてエンドユーザ端末に返信する。
【００３７】
以上の処理（Ｓ１）〜（Ｓ５）により、Ｗｅｂｌｏｇサーバで通例蓄積するエントリー、コメント、トラックバックから構成された特定の話題に関するコミュニケーションの履歴を用いて、目的とする知識に関して相互に評価し合い、一定の信頼をおいている時間的に直近のコミュニティを抽出してエンドユーザに提示し、該コミュニティへのアクセスによって信頼性の高い知識を取得できるようエンドユーザを支援できる。
【００３８】
なお、本実施形態で説明したコミュニティ検索支援方法における各処理ステップは、コンピュータで実行可能に構成したプログラムによっても実現でき、さらにプログラムを記録媒体に記録することも、ネットワークを通して提供することも可能である。
【図面の簡単な説明】
【００３９】
【図１】本発明の実施形態に係るＷｅｂｌｏｇコミュニティ検索支援装置の構成図。
【図２】一般的なＷｅｂｌｏｇコンテンツの構成例を示す図。
【図３】本発明の実施形態に係るＷｅｂｌｏｇコミュニティ検索支援方法の処理フロー。
【符号の説明】
【００４０】
１０  Ｗｅｂｌｏｇコミュニティ収集装置
２０  Ｗｅｂｌｏｇコミュニティ検索装置
１１  クローリング手段
１２  データベース
１３  コミュニティ抽出手段
１４  データベース
１５  コミュニティ蓄積手段
１６  データベース
２１  コミュニティ検索手段
２２  コミュニティ検索結果表示手段
【図１】
2006331292.tif 000003
【図２】
2006331292.tif 000004
【図３】
2006331292.tif 000005